(57)【特許請求の範囲】
【請求項１】
昇降機構に吊り下げ自在とした二枚の側板間の一端にワイヤループ環を挟着すると共に、二枚の側板間でワイヤループ環の下方位置にワイヤ接触軸とワイヤロック軸とを少なくとも二個架設し、ワイヤロック軸にはロック機構としてのカム機構を設け、カム機構は、ワイヤロック軸に挿貫したカム部で構成し、カム部に操作レバーとしての機能する操作片を形成すると共に操作レバーに操作手段を接続し、
ワイヤループ環に隣接した位置にループロック機構を配設し、ループロック機構は、ワイヤループ環に隣接したループロック軸を二枚の側板間に架設しており、これら二枚の側板に開口した孔にループロック軸を挿通し、このループロック軸には、ループ用ロック部を設け、ループ用ロック部には、ループ操作レバーとして機能する操作片を形成すると共にループ操作レバーにループ操作手段を接続し、
ロック機構に連設した操作レバーの操作片を操作手段又は／及びループロック機構に連設したループ操作レバーの操作片をループ操作手段を介して地上より操作可能とすることにより吊り下げ金具本体を構成し、吊り下げ金具本体に挿通する一本のロープの一端を荷物の一端に連結し、他端を荷物の他端に連結し、かかる一本のロープをその中途においてワイヤループ環にループ状に巻付けその伸延方向でワイヤループ環の下方位置のワイヤ接触軸とワイヤロック軸との間を各軸に接触しながら挿通させ、ワイヤロック軸のロック機構及びループロック機構によりロープを調心し、
さらに、ロック機構のカム部の先端によりロープをワイヤ接触軸に押し当て、かつループロック機構のループロック部の先端によりロープをワイヤループ環に押し当てて、ロープを固定することを特徴とする吊金具。
【発明の詳細な説明】
【技術分野】
【０００１】
この発明は、荷物をワイヤ掛けしてクレーン等の搬送機構で持ち上げて移動する際にクレーンのフックと荷物との間に介在して使用する吊金具に関する。
【背景技術】
【０００２】
従来、荷物をワイヤで玉掛けしてクレーンなどの搬送機構のフックに掛けて持ち上げ、移動させるに際しては、クレーンによりフックを持ち上げワイヤを緊張させてフックに荷物の荷重をかけることになる。その際にフックの吊り上げ位置が荷物の重心から偏心していると、荷物は傾き、荷崩れやフックからのワイヤの離脱などの事故が生起するおそれがあった。
【０００３】
かかる事故を防止するためには、荷物の重心とフック吊り上げ位置とを一致させるべくワイヤの長さ調整作業を行う。かかる調整作業を吊り上げ現場で行うことは煩雑であり、荷物の搬送作業に不要の時間を割かなければならず、作業効率の低さを招いていた。
【０００４】
そこで、本発明者は、かかる問題を解決すべく、荷物の重心とフック吊り上げ位置とを自動的に合致させることができる自動調心機能を有した吊金具を開発し、かつ、ワイヤが吊金具の一部を挿通する位置でロック出来て、ワイヤが滑らないように構成した吊金具を開発して、実公平５−４３０１７号として実用新案登録した。
【０００５】
この吊金具は、自動調心機能を有することは勿論、吊りワイヤが吊金具との接触部分で滑らないようにロックできるため、地ぎり時や他の荷物や物件と接触してもワイヤが不用心に滑って弛緩することを防止できるようにしたものである。
【先行技術文献】
【特許文献】
【０００６】
【特許文献１】実公平５−４３０１７
【発明の概要】
【発明が解決しようとする課題】
【０００７】
ところが、かかる技術は必要時に容易にワイヤのロックが行えるものの、ロック操作が荷物を地上に載置した状態でしか行えず、しかも、ロック位置が一箇所であるため充分なロック機能を果たせない欠点が合った。
特に、荷物の調心作業は本来は荷物の吊り上げ状態で行い地上よりそのままロック作業が行えるほうが正確な調心作業となるものの、上記考案では、かかる地上よりのロープロック作業が行えないものであった。
しかも、この従来の技術の吊金具においては、荷物をクレーンで吊下げする際に、二本のロープを用いており、一本はクレーンフックと荷物一端を連結したものであり、他の一本はクレーンフックと荷物他端とを連結するロープを荷物他端に連結したローラから折り返してこのロープ中途に自動調心機能を有したループ環よりなる吊金具を介在したのであり、二本のロープでクレーンのフックと荷物の二箇所とを連結したものであった。
従って、それぞれのロープの長さを調節して荷物の重心と吊り上げ位置とを一致させるものであるため、本来の自動調心機能を容易にかつ充分に果たすことができないものであった。
【課題を解決するための手段】
【０００８】
この発明は、昇降機構に吊り下げ自在とした二枚の側板間の一端にワイヤループ環を挟着すると共に、二枚の側板間でワイヤループ環の下方位置にワイヤ接触軸とワイヤロック軸とを少なくとも二個架設し、ワイヤロック軸にはロック機構としてのカム機構を設け、カム機構は、ワイヤロック軸に挿貫したカム部で構成し、カム部に操作レバーとしての機能する操作片を形成すると共に操作レバーに操作手段を接続し、ワイヤループ環に隣接した位置にループロック機構を配設し、ループロック機構は、ワイヤループ環に隣接したループロック軸を二枚の側板間に架設しており、これら二枚の側板に開口した孔にループロック軸を挿通し、このループロック軸には、ループ用ロック部を設け、ループ用ロック部には、ループ操作レバーとして機能する操作片を形成すると共にループ操作レバーにループ操作手段を接続し、ロック機構に連設した操作レバーの操作片を操作手段又は／及びループロック機構に連設したループ操作レバーの操作片をループ操作手段を介して地上より操作可能とすることにより吊り下げ金具本体を構成し、吊り下げ金具本体に挿通する一本のロープの一端を荷物の一端に連結し、他端を荷物の他端に連結し、かかる一本のロープをその中途においてワイヤループ環にループ状に巻付けその伸延方向でワイヤループ環の下方位置のワイヤ接触軸とワイヤロック軸との間を各軸に接触しながら挿通させ、ワイヤロック軸のロック機構及びループロック機構によりロープを調心し、さらに、ロック機構のカム部の先端によりロープをワイヤ接触軸に押し当て、かつループロック機構のループロック部の先端によりロープをワイヤループ環に押し当てて、ロープを固定することを特徴とする吊金具を提供せんとするものである。
【発明の効果】
【００１２】
この発明によれば、昇降機構に吊り下げ自在とした二枚の側板間の一端にワイヤループ環を挟着すると共に、二枚の側板間でワイヤループ環の下方位置にワイヤ接触軸とワイヤロック軸とを少なくとも二個架設し、ワイヤロック軸にはロック機構を設け、ロック機構に連設した操作レバーを操作手段を介して地上より操作可能に構成したので、この構成の金具本体に一本のロープを挿通し、一本のロープの一端を荷物の一端に連結し、他端を荷物の他端に連結し、かかる一本のロープをその中途においてワイヤループ環にループ状に巻付けその伸延方向でワイヤループ環の下方位置のワイヤ接触軸とワイヤロック軸との間を各軸に接触しながら挿通させ、ワイヤロック軸のロック機構によりロープを調心しながら固定することが可能となり、荷物の重心に合致した位置に金具本体を容易に配置することができる。
特にロック機構に連設した操作レバーを操作手段を介して地上より操作できるためロープを調心しながら固定する作業が一旦金具本体を地上に載置して調心する必要がなく作業効率が向上する効果がある。
更には、金具本体に一本のロープを挿通し、かかる一本のロープをその中途においてワイヤループ環にループ状に巻付けその伸延方向でワイヤループ環の下方位置のワイヤ接触軸とワイヤロック軸との間を各軸に接触しながら挿通させ、ワイヤロック軸のロック機構によりロープを調心しながら固定するように構成したものであるから、一本のロープのみの長短操作だけで荷物の重心に合致した位置に金具本体を配置することができるため、従来の２本のロープの相互の長短状態を見ながら調整する作業に比し作業が行いやすくなる効果がある。
【００１３】
また、ロック機構は、カム機構としたことにより簡単な構造にもかかわらず確実にロープをロックすることができる効果がある。しかも、地上からロック操作を行う構造には最も適した構造であり、操作が簡便な割にはロック効果が大きい効果がある。
【００１４】
また、ワイヤループ環に隣接してループロック機構を配設し、ループロック機構に連設したループ操作レバーをループ操作手段を介して地上より操作可能に構成したために、簡単な構造にもかかわらず確実にロープをロックすることができる効果があり、しかも、地上からロック操作を行う構造には最も適した構造であり、操作が簡便な割にはロック効果が大きい効果がある。特に、ワイヤロック軸のロック機構と共にループロック機構を併用すると一本のロープの上手位置と下手位置の双方からロックを掛けることができることになりロック効果をより発揮することが出来る効果がある。
また、ロック機構と共にループロック機構が配設されているため、荷物の重心に合致した位置に金具本体を配置する調心作業をする際に荷物の重心の状態に応じて各ロック機構のいずれかを選択的に使用してことができ、そのため調心作業が効率的に行える効果がある。
【００１５】
ループロック機構は、カム機構としたことにより簡単な構造にもかかわらず確実にロープをロックすることができる効果がある。しかも、地上からロック操作を行う構造には最も適した構造であり、操作が簡便な割にはロック効果が大きい効果がある。
更には、他方のロック機構もカム機構であるので双方のロック機構を併用あるいは選択的に使用するときに同じようなロック機能を果たすことが可能となり一層の調心作業の効率向上することができる効果がある。
【図面の簡単な説明】
【００１６】
【図１】参考例１の吊金具を示す斜視図。
【図２】参考例１の吊金具を示す側面図。
【図３】吊金具の使用状態を示す斜視図。
【図４】吊金具の使用状態を示す斜視図。
【図５】吊金具の使用状態を示す斜視図。
【図６】（ａ）吊金具のロープの自由位置を示す側面図。（ｂ）吊金具のロープの固定位置を示す側面図。
【図７】（ａ）参考例１の吊金具の変形例を示す側面図。（ｂ）図７（ａ）の要部を示す斜視図。（ｃ）図７（ａ）の要部を示す斜視図。
【図８】本実施形態の吊金具を示す斜視図。
【図９】本実施形態の吊金具を示す側面図。
【図１０】（ａ）カム部の動作状態を示す側面図。（ｂ）カム部の動作状態を示す側面図。（ｃ）カム部の動作状態を示す側面図。
【図１１】（ａ）ループ用ロック部の動作状態を示す側面図。（ｂ）ループ用ロック部の動作状態を示す側面図。（ｃ）ループ用ロック部の動作状態を示す側面図。
【図１２】（ａ）参考例２の吊金具を示す斜視図。（ｂ）参考例２の吊金具を示す側面図。
【図１３】（ａ）参考例３の吊金具を示す斜視図。（ｂ）参考例３の吊金具を示す側面図。
【図１４】（ａ）参考例４の吊金具を示す斜視図。（ｂ）ロープロック部の動作状態を示す側面図。（ｃ）ロープロック部の動作状態を示す側面図。
【図１５】（ａ）参考例５の吊金具を示す斜視図。（ｂ）参考例５の吊金具を示す側面図。
【図１６】（ａ）ループロック機構の動作状態を示す側面図。（ｂ）ループロック機構の動作状態を示す側面図。
【図１７】（ａ）参考例６の吊金具を示す側面図。（ｂ）ループロック部の動作状態を示す側面図。（ｃ）ループロック部の動作状態を示す側面図。
【図１８】（ａ）ループロック部の動作状態を示す側面図。（ｂ）ループロック部の動作状態を示す側面図。（ｃ）ループロック部の動作状態を示す側面図。
【図１９】（ａ）参考例７の吊金具を示す側面図。（ｂ）ループロック機構の要部を示す斜視図。
【図２０】（ａ）ループロック機構の動作状態を示す断面図。（ｂ）ループロック機構の動作状態を示す断面図。（ｃ）ループロック機構の動作状態を示す断面図。
【発明を実施するための形態】
【００１７】
この発明の実施例を図面に基づき詳説する。
【００１８】
［参考例１］
図１は、参考例１の吊金具Ａの基本構造を示す分解斜視図であり、図２は参考例１の吊金具Ａの側面図である。
【００１９】
吊金具Ａは、略長手形状の２枚の側板２，３の一端部の内部にロープＲをループ状に巻回するためのワイヤループ環４を挟持させている。
【００２０】
かかる２枚の側板２，３間でワイヤループ環４の下方位置には、ワイヤロック軸５とワイヤ接触軸６とをロープＲが挿通する間隙Ｓを保持して互いに対峙する状態に架設している。図中、５ａ、５ｂは、ワイヤロック軸５を構成する締結具のボルト、ナットであり、また、６ａ、６ｂは、ワイヤ接触軸６を構成する締結具のボルト、ナットである。
【００２１】
また、ワイヤロック軸５には、ロック機構としてのカム機構を設けている。カム機構は、ワイヤロック軸５に挿貫したカム部７であり、このカム部７の周面には、操作レバー１０を連設するための螺孔９が形成されている。図２中、８は、カム部７に挿貫した挿通孔である。１１は操作レバー１０を操作するための操作手段である。
【００２２】
更に、ワイヤループ環４に隣接した位置には二枚の側板２，３間にループ軸１２を配設している。図中、１２ａ、１２ｂは、ループ軸１２を構成する締結具のボルト、ナットである。尚、各側板２，３には、ワイヤロック軸５、ワイヤ接触軸６、ループ軸１２を挿通する挿通孔が形成されている。
【００２３】
かかる構造により金具本体１３を構成している。
【００２４】
しかもワイヤループ環４の位置する二枚の側板２，３には係合孔１４を形成し、昇降機構のクレーンのフック或は本発明の吊金具に用いるロープの一端に設けたフックを係合可能に構成している。
【００２５】
この発明の要旨となるのは次の通りである。
【００２６】
図３に示すように、かかる基本構造の吊金具Ａにおいて、ロープＲの緊張状態を説明すると、まず、ロープＲの一端は荷物Ｂの一端部に荷物用フック２１を介して連結されており、ロープＲの他端は、荷物Ｂの他端部に荷物用フック２１’を介して連結されており、荷物全体の一側端縁の両端部を一個の吊金具Ａにおける一本のロープの両自由端を連結することになる。
【００２７】
次いでクレーンの一個のフックＦに吊金具Ａの金具本体１３を吊下げて、図６（ｂ）に示すロープ固定位置となす。すなわち、クレーンで金具本体１３を吊下げた場合、ワイヤループ環４に巻回したワイヤが次第に緊張するにつれ、荷物の荷重がかかり始めれば吊金具Ａは自動的に荷物の重心方向に移動して吊中心と荷重心とが一致してロープ固定位置となる。このロープ固定位置において、ワイヤロック機構の操作レバー１０を操作手段１１を介して引っ張ることにより、カム機構のカム部７の先端がロープＲをワイヤ接触軸６に押し当てられながら係合される。
【００２８】
次に、フックＦに吊下げた吊金具Ａの金具本体８を弛緩すると、吊金具ＡのロープＲは、図６（ａ）に示すロープ自由位置となるが、図６（ｂ）に示すようにカム機構のカム部７によりロープＲが固定された形態を保持している。このようにクレーンのフックＦから吊金具Ａを弛緩しても、再度、吊金具ＡのロープＲの調心作業を行う必要がなくなる効果がある。
【００２９】
図４に示すように、他方、荷物Ｂの他側端縁の両端部にも同様に一個の吊金具Ａにおける一本のロープＲの両自由端を連結する。
【００３０】
図５に示すように、次いでクレーンの一個のフックＦに本発明と同様の構造の吊金具Ａを吊下げしてこの吊金具ＡのロープＲの両自由端を先に荷物に連結した吊金具Ａ，Ａの金具本体８，８に連結する。
【００３１】
すなわち、クレーンのフックＦと荷物Ｂとの間には、本発明の吊金具Ａが３個使用されており、２個の吊金具Ａ，Ａで荷物Ｂを吊下げ可能に連結し、これら２個の吊金具Ａ，ＡとクレーンのフックＦとの間を更に別個の吊金具Ａで吊下げするという上下２段の吊構造としている。
【００３２】
［参考例１の変形例］
参考例１の変形例は、カム機構の構造が上記実施形態のものと異なっている。すなわち、図７に示すように、カム機構は、筒の周面にロープを係合固定する係合凹部を有する係合突部１７ａが形成された係合カム部１７であり、係合突部１７ａは、操作レバーとして機能すると共に操作手段１１を接続するための挿通孔１７ｂを備えている。
【００３３】
吊金具Ａを使用する際は、クレーンの一個のフックＦに吊金具Ａの金具本体１３を吊下げて、ロープ固定位置となす。このロープ固定位置において、カム機構の係合カム部１７の係合突部１７ａを操作手段１１を介して引っ張ることにより、係合突部１７ａの凹部がロープＲをワイヤ接触軸６に押し当てられながら係合固定する。このようにカム機構の係合カム部１７によりロープＲが固定された形態を保持することとなる。
【００３４】
［本実施形態］
上述した参考例１の吊金具Ａでは、ワイヤループ環４の下方位置にロープＲをロックするカム部７を設けたが、本実施形態の吊金具Ａでは、更に、ワイヤループ環４に隣接した位置にループロック機構を配設している。尚、以下の実施形態の吊金具では、参考例１の吊金具と同一符号を付して説明を省略する。
【００３５】
図８に示すように、ループロック機構は、ワイヤループ環４に隣接したループロック軸１２を二枚の側板２，３間に架設しており、これら二枚の側板２，３に開口した孔にループロック軸１２を挿通し、このループロック軸１２には、ループ用ロック部３０を設け、ループ用ロック部３０には、ループ操作レバーとして機能する操作片３０ａを形成し、ループ操作手段１１を介して地上より操作可能な構成としている。
【００３６】
また、ループ用ロック部３０には、ループロック軸１２を挿通する挿通孔３２を形成すると共にループ操作手段１１を接続する取付孔３０ｂを形成している。
【００３７】
さらに、ワイヤロック軸５に挿貫したカム機構のカム部３７は、上記ループ用ロック部と同じ構造を有している。すなわち、カム部３７には、操作レバーとして機能する操作片３７ａを形成し、操作手段１１を介して地上より操作可能な構成としている。
【００３８】
図中、３８は、カム部３７に挿貫した挿通孔である。１１は操作レバーとしての操作片３７ａを操作するための操作手段である。３７ｂは操作手段１１を接続する取付孔３０ｂである。
【００３９】
かかる構造により金具本体１３を構成している。
【００４０】
吊金具Ａにおいて、ロープＲの緊張状態を説明する。
【００４１】
図９に示すように、クレーンの一個のフックＦ（図示しない）に吊金具Ａの金具本体１３を吊下げて、ロープ固定位置となす。すなわち、クレーンで金具本体１３を吊下げた場合、ワイヤループ環４に巻回したワイヤが次第に緊張するにつれ、荷物の荷重がかかり始めれば吊金具Ａは自動的に荷物の重心方向に移動して吊中心と荷重心とが一致してロープ固定位置となる。
【００４２】
このロープ固定位置において、図１０（ａ）から（ｃ）に示すように、カム部３７の操作レバーとしての操作片３７ａを操作手段１１を介して引っ張ることにより、カム部３７の先端３７ｃがロープＲをワイヤ接触軸６に押し当てられながら係合される。
【００４３】
次に、ワイヤループ環４の近傍に配置したループ用ロック部３０を操作してロックすることとなる。図１１（ａ）から（ｃ）に示すように、ループ用ロック部３０のループ操作レバーとしての操作片３０ａを操作手段１１を介して引っ張ることにより、ループ用ロック部３０の先端３０ｃがロープＲをループロック軸１２に押し当てられながら係合される。
【００４４】
このようにワイヤロック軸５のロック機構と共にループロック機構を併用すると一本のロープＲの上手位置と下手位置の双方からロックを掛けることができることになりロック効果をより発揮することが出来る効果がある。
【００４５】
［参考例２］
参考例２の吊金具では、図１２に示すように、ワイヤループ環４に隣接した位置でかつ、側板２の外側にループロック機構におけるループ操作レバー４１を設けている。
【００４６】
すなわち、ループロック軸１２の先端には、ループ操作レバー４１が螺着されており、ループ操作レバー４１を操作すると、ループロック軸１２に装着したカム部４０がロープＲをワイヤループ環４に押し当てられてロックされることとなる。図中、４１ａは、ループ操作手段を取付けるための取付孔である。
【００４７】
なお、側板２には、ループ操作レバー４１の揺動範囲を規制すると共に、ループ操作レバー４１の先端を保護するコ字形状のガイド部４２を連結している。
【００４８】
図１２中の吊金具では、ワイヤロック軸やカム部や操作レバーの構成部分に、上述したループロック軸１２、カム部４０、ループ操作レバー４１、ガイド部４２と同じ構成を採用しており、同一符号を付して重複説明を省略する。
【００４９】
［参考例３］
参考例３の吊金具では、図１３に示すように、ワイヤループ環４に隣接した位置に側板２，３に沿ってスライドするループロック機構を設けている。
【００５０】
側板２，３には、ワイヤループ環４の近傍にループロック軸１２を配し、ワイヤループ環４の上方位置に湾曲した長溝５４，５４が形成され、これら長溝５４，５４に沿ってスライド自在のスライド式ロック部５０を挿着することによりループロック機構を構成している。
【００５１】
スライド式ロック部５０は、スライド式ロープロック軸５１と、同ロック軸５１に挿通しつつワイヤループ環４に券回したロープＲに接触するロック筒５２とからなる。スライド式ロープロック軸５１の端部には、ループ操作レバーとして機能すると共に、ループ操作手段を取り付ける取付孔５１ａを形成している。
【００５２】
ワイヤループ環４周面のロープＲを固定する際は、ループ操作手段を介してスライド式ロック部５０を側板２，３の長溝５４，５４に沿ってスライドすることにより、スライド式ロック部５０のロック筒５２はロープＲをワイヤループ環４に押し付けられロック状態となる。
【００５３】
［参考例４］
参考例４の吊金具では、図１４に示すように、ワイヤループ環４に隣接したループロック軸１２とは別に上下方向に開閉自在のループロック機構を設けている。
【００５４】
ループロック機構は、ワイヤループ環４の近傍にループロック軸１２を配し、更に側板３の内側に枢支し、上下方向に開閉自在のロープロック部６０を設けており、ロープロック部６０では、開放方向（上方）へ付勢する弾性部と同ロープロック部６０の閉じ位置において閉状態となすロック機構とが枢支部６１に設けられている。
【００５５】
また、ロープロック部６０には、ループ操作レバーとして機能する操作部６２を備えている。操作部６２は、側板２を切欠いた切欠部６４より延伸し、その先端にはループ操作手段１１を取り付ける取付孔６２ａが形成されている。
【００５６】
ワイヤループ環４周面のロープＲを固定する際は、図１４（ｂ）、（ｃ）に示すように、ループ操作手段１１を介して上下方向に開閉自在のロープロック部６０を下方方向に閉じることにより、ロープロック部６０の押圧部６０ａはロープＲをワイヤループ環４に押し付けられ枢支部６１のロック機構によりロープＲがロック状態となる。
【００５７】
［参考例５］
参考例５の吊金具では、図１５に示すように、ワイヤループ環４に隣接したループロック軸１２に上下方向に螺着自在のループロック機構を設けている。
【００５８】
ループロック機構は、ループロック軸に固定するプレート状の固定部７２と、固定部７２を挿貫してワイヤループ環４周面のロープＲをロックする捩じ込み式ロック軸７１と、捩じ込み式ロック軸の先端に装着した押圧部７３とを備えている。ループロック軸は、固定部７２の各側部に螺合する短軸の２つのネジ７０ａ，７０ａで構成される。
【００５９】
ワイヤループ環４周面のロープＲを固定する際は、図１６（ａ）、（ｂ）に示すように、捩じ込み式ロック軸７１が固定部７２を挿通しながら降下すると、同ロック軸７１先端の押圧部７３はロープＲをワイヤループ環４に押し付けられてロープＲがロック状態となる。
【００６０】
ロック機構に連設した操作レバー１０を操作手段１１を介して地上より操作できるためロープＲを調心しながら固定する作業が一旦金具本体を地上に載置して調心する必要がなく作業効率が向上する効果がある。さらに、ループロック機構をかかる構成とすることにより、金具本体を地上に載置して、ワイヤループ環４上の券回ロープＲを強固にロックすることができる。
【００６１】
［参考例６］
参考例６の吊金具では、図１７に示すように、没入自在に付勢されたループロック軸８２を側板２に枢支されたループ操作レバー８１で押込むと、ループロック軸８２が付勢力により周回転し、ループロック軸８２に配設したカム形状のループロック部８０がワイヤループ環４上の巻回したロープＲに押し当てられ、巻回ロープＲの摺動をロックするループロック機構が設けられている。
【００６２】
ループロック軸８２は、円柱形状のピンであり、長手方向の先端付近の中途部８２ｂを六角形状に構成されており、ループロック軸８２は、ワイヤループ環４の近傍でかつ両側板２，３に挿貫して没入自在に配設される。さらに、ループロック軸８２には、両側板２，３間に軸方向に没入自在でかつ周方向に回転自在となるように付勢したねじりバネ８３を配設しており、ループロック軸８２がループ操作レバー８１により両側板２，３間に押し込まれると、ねじりバネ８３の周方向の付勢力が開放されて、ループロック軸８１に連結したループロック部８０がワイヤループ環４上の巻回ロープＲに押し当てられる。
【００６３】
ループ操作レバー８１は、Ｌ字形状に形成され、側板２に枢支するための枢支部８１ｂと操作手段１１を取り付けるための取付孔８１ａとループロック軸８２の先端８２ａに当接する先端部８１ｃにより構成される。
【００６４】
図中、８４は側板３に連設したループロック軸８２の没入を規制する規制部である。
【００６５】
さらに、図１７（ｂ）、（ｃ）及び図１８を参照しながらループロック機構のロック作動について説明する。
【００６６】
ループロック軸８２は、側板２に開口した六角孔２ａから挿通し、ループロック部８０の貫通孔８０ａ、側板３に開口した丸孔３ａに順に挿着している。ループロック軸８２は、その周面に配設したねじりバネ８３により、軸方向でかつ周方向に付勢されることとなる。ねじりバネ８３は、一端をループロック軸８２の中途に連設し、他端を側板３内の凸部８５に連設している。
【００６７】
図１７（ｂ）及び図１８（ｂ）に示すように、ループロック軸８２は、その中途部の六角部８２ｂが側板２の六角形状の孔２ａに一致している間、ねじりバネ８３の周方向の付勢力を規制している。
【００６８】
図１７（ｃ）に示すように、ループ操作レバー８１によりループロック軸８２を押込むことで、ねじりバネ８３の周方向の付勢力が開放されて、図１８（ｃ）に示すように、ループロック部８０が回転して、ループロック部８０の先端８０ａがワイヤループ環４上の券回ロープＲに当接して、ロープＲをロック状態となす。
【００６９】
ループロック機構をかかる構成とすることにより、吊金具Ａが高い位置にあっても、操作手段１１を介してループ操作レバー８１を操作することで、ワイヤループ環４上の券回ロープＲをワンタッチでロックできる効果がある。
【００７０】
［参考例７］
参考例７の吊金具では、図１９に示すように、ワイヤループ環４に隣接したループロック軸１２と、ワイヤループ環４とループロック軸１２との間隙に挿着する湾曲形状のクサビ９０とからなるループロック機構を備えている。クサビ９０は、湾曲形状でかつ先端から後部にかけて漸次厚く形成された構造である。図中、９５はクサビ９０の落下を防止するために取付けたチェーンであり、チェーン９５の他端は、側板２に連設されている。
【００７１】
ループロック軸１２は、両側板２，３に挿着自在となすように、ピン形状の中途部９１，９２をテーパー形状とした構造である。図２０中、９３，９４はループロック軸１２の半球形状の頭部である。
【００７２】
各側板２，３には、ループロック軸１２を挿通する挿通孔２ａ，３ａが形成されており、挿通孔２ａ，３ａは、ループロック軸１２のテーパー部９１，９３とテーパー嵌合自在となすようにテーパー形状に形成されている。
【００７３】
ワイヤループ環４周面のロープＲを固定する際は、図２０に示すように、両側板２，３にループロック軸１２をテーパー嵌合し、ループロック軸１２とワイヤループ環４周面の券回ロープＲとの間隙にクサビ９０を差し入れることにより、ロープＲがロック状態となる。尚、ループロック軸１２とワイヤループ環４周面の券回ロープＲとの間隙にクサビ９０を差し入れる方向は、図１９のように右側方向から差し入れてもよいし、反対の左側方向から差し入れるようにしてもよい。
【００７４】
一方、ロープＲのロック状態を解除する際は、両側板２，３に嵌合したループロック軸１２の頭部９３をハンマーで投打することで嵌合状態を解除し、ロープＲのロック状態が解除されることとなる。
【００７５】
ロック機構に連設した操作レバー１０を操作手段１１を介して地上より操作できるためロープＲを調心しながら固定する作業が一旦金具本体を地上に載置して調心する必要がなく作業効率が向上する効果がある。さらに、金具本体を地上に載置してクサビ９０をループロック軸１２とワイヤループ環４周面の券回ロープＲとの間隙に差し込むことで、券回ロープＲを強固に固定できる効果がある。
【００７６】
上記実施形態において、開示したさまざまなロック機構、ループロック機構をワイヤロック軸５やループロック軸１２に組み合わせて用いるようにしてもよいし、両軸に同種のロック機構を用いるようにしてもよい。
【符号の説明】
【００７７】
Ａ  吊金具
２，３  側板
４  ワイヤループ環
５  ワイヤロック軸
６  ワイヤ接触軸
７  カム部
８  挿通孔
９  螺孔
１０  操作レバー
１１  操作手段
【図１】
0005931360.tif 000002
【図２】
0005931360.tif 000003
【図３】
0005931360.tif 000004
【図４】
0005931360.tif 000005
【図５】
0005931360.tif 000006
【図６】
0005931360.tif 000007
【図７】
0005931360.tif 000008
【図８】
0005931360.tif 000009
【図９】
0005931360.tif 000010
【図１０】
0005931360.tif 000011
【図１１】
0005931360.tif 000012
【図１２】
0005931360.tif 000013
【図１３】
0005931360.tif 000014
【図１４】
0005931360.tif 000015
【図１５】
0005931360.tif 000016
【図１６】
0005931360.tif 000017
【図１７】
0005931360.tif 000018
【図１８】
0005931360.tif 000019
【図１９】
0005931360.tif 000020
【図２０】
0005931360.tif 000021